(57)【要約】【課題】本発明は、着脱の容易性を維持しつつ、作業中に裾部が手首方向にずれ落ちることを抑止できる手袋の提供を目的とする。【解決手段】本発明の手袋は、指先端方向からの平面視で、第２指部及び第５指部の基端の中心間を結ぶ直線と、第１指部及び第２指部の基端の中心間を結ぶ直線とのなす角度が６０度以上１２０度以下であり、第３指部先端と第１指部基端との第３指部の軸方向の間隔をＤとするとき、第３指部先端を基点とする裾部側への第３指部の軸方向の距離が１．３×Ｄ以上１．８×Ｄ以下の範囲にある手首領域において周囲長が最小となる最細位置での周囲長ａと、上記軸方向の距離が上記最細位置の上記軸方向の距離に対して１．６倍となる前腕末端位置での周囲長ｂとの比ｂ／ａが１．１０以上１．３２以下であり、上記最細位置と上記前腕末端位置との間の領域の平均厚みが０．２０ｍｍ以上０．８０ｍｍ以下である。【選択図】図１
2019218672.tif 000002
【特許請求の範囲】
【請求項１】
着用者の掌及び手の甲を覆うよう袋状に形成された本体部と、着用者の第１指乃至第５指をそれぞれ覆うよう上記本体部から延設された有底筒状の第１指部乃至第５指部と、上記第１指部乃至第５指部とは反対方向に延設された筒状の裾部とを有し、ゴム又は樹脂を主成分とし、上記裾部のずれ落ち防止効果に優れた作業用手袋であって、
指先端方向からの平面視で、上記第２指部及び上記第５指部の基端の中心間を結ぶ直線と、上記第１指部及び上記第２指部の基端の中心間を結ぶ直線とのなす角度が６０度以上１２０度以下であり、
上記第３指部先端と上記第１指部基端との上記第３指部の軸方向の間隔をＤとするとき、上記第３指部先端を基点とする上記裾部側への上記第３指部の軸方向の距離が１．３×Ｄ以上１．８×Ｄ以下の範囲にある手首領域において周囲長が最小となる最細位置での周囲長ａと、上記軸方向の距離が上記最細位置の上記軸方向の距離に対して１．６倍となる前腕末端位置での周囲長ｂとの比ｂ／ａが１．１０以上１．３２以下であり、
上記最細位置での周囲長ａと、上記間隔Ｄとの比ａ／Ｄが１．５０以上１．８５以下であり、
上記最細位置及び上記前腕末端位置の上記軸方向の距離をそれぞれＬ１［ｍｍ］及びＬ２［ｍｍ］とするとき、上記軸方向の距離がｘ［ｍｍ］である位置での周囲長ｙ［ｍｍ］が、Ｌ１＜ｘ＜Ｌ２の範囲において、下記式（１）及び（６）を満たし、
上記裾部の剛軟度が２５ｍｍ以上６５ｍｍ以下であり、
全長が３０ｃｍ以上４５ｃｍ以下である作業用手袋。
ｙ≦ａ＋（ｂ−ａ）×（ｘ−Ｌ１）／（Ｌ２−Ｌ１）＋４  ・・・（１）
ｙ≧ａ＋（ｂ−ａ）×（ｘ−Ｌ１）／（Ｌ２−Ｌ１）−１０・・・（６）
【請求項２】
上記裾部の曲げ剛性が０．０２ｇｆ・ｃｍ２／ｃｍ以上０．３８ｇｆ・ｃｍ２／ｃｍ以下である請求項１に記載の手袋。
【請求項３】
上記最細位置と上記前腕末端位置との間の領域の平均厚みが０．２０ｍｍ以上０．８０ｍｍ以下である請求項１又は請求項２に記載の手袋。
【請求項４】
上記周囲長ｙが、上記裾部の開口部において、下記式（２）を満たす請求項１、請求項２又は請求項３に記載の手袋。
ｙ＞ａ＋（ｂ−ａ）×（ｘ−Ｌ１）／（Ｌ２−Ｌ１）  ・・・（２）
【発明の詳細な説明】
【技術分野】
【０００１】
本発明は、手袋に関する。
【背景技術】
【０００２】
炊事、掃除、洗濯等の作業に用いられる手袋として、手首から前腕を覆う裾部を有する手袋が公知である（例えば特開平１０−７２７１３号公報参照）。この手袋では、上記袖部により例えば着用者の洋服の袖を濡らしてしまうことを防ぐ。
【０００３】
このような従来の手袋では、着脱が容易であり、かつ長袖の衣服の着用時であっても着用者の洋服の袖口部分を確実に覆うことができるように、手首部分から開口部に向かって放物線状に外方へ膨らんだ形状となるように形成されている。なお、この形状は、主として手袋がよく使用される冬の季節に上着の袖を手袋の裾部に入れて作業することを想定して決定されたものである。
【０００４】
炊事、掃除、洗濯等の作業は、通常腕部よりも手首側が下方となるような姿勢で行われる。上記従来の手袋を用いてこの作業を行うと、着用時点においては着用者の洋服の袖口部分を確実に覆っているものの、作業を継続して行うにつれ、裾部が手首方向にずれ落ちていく。このため、袖口部分を濡らさないように作業を行うためには、作業途中にこの袖部のずれを頻繁に元に戻す必要がある。
【先行技術文献】
【特許文献】
【０００５】
【特許文献１】特開平１０−７２７１３号公報
【発明の概要】
【発明が解決しようとする課題】
【０００６】
本発明はこれらの事情に鑑みてなされたものであり、着脱の容易性を維持しつつ、作業中に裾部が手首方向にずれ落ちることを抑止できる手袋の提供を目的とする。
【課題を解決するための手段】
【０００７】
本発明者らが、手袋の裾部が作業中に手首方向にずれ落ちる原因について鋭意検討した結果、腕部よりも手首側が下方となるような姿勢で手を握ったり開いたりすることを繰り返し行うと、この腕部の筋肉の伸縮により手袋の裾部が移動することを知得した。そして、本発明者らは、作業中は腕部よりも手首側が下方となるような姿勢であるため、上記筋肉の伸縮による手袋の裾部の移動は、重力の影響で、下方、すなわち手首側への移動が大きくなり、結果として裾部が手首方向にずれ落ちてしまうという結論に至った。
【０００８】
さらに、本発明者らが、この裾部のずれ落ちの抑止について鋭意検討した結果、着脱の容易性を低下することなく、裾部のずれ落ちを抑止できる手袋の形状が存在することを見出し、本発明を完成させた。
【０００９】
すなわち上記課題を解決するためになされた発明は、着用者の掌及び手の甲を覆うよう袋状に形成された本体部と、着用者の第１指乃至第５指をそれぞれ覆うよう上記本体部から延設された有底筒状の第１指部乃至第５指部と、上記第１指部乃至第５指部とは反対方向に延設された筒状の裾部とを有し、ゴム又は樹脂を主成分とする手袋であって、指先端方向からの平面視で、上記第２指部及び上記第５指部の基端の中心間を結ぶ直線と、上記第１指部及び上記第２指部の基端の中心間を結ぶ直線とのなす角度が６０度以上１２０度以下であり、上記第３指部先端と上記第１指部基端との上記第３指部の軸方向の間隔をＤとするとき、上記第３指部先端を基点とする上記裾部側への上記第３指部の軸方向の距離が１．３×Ｄ以上１．８×Ｄ以下の範囲にある手首領域において周囲長が最小となる最細位置での周囲長ａと、上記軸方向の距離が上記最細位置の上記軸方向の距離に対して１．６倍となる前腕末端位置での周囲長ｂとの比ｂ／ａが１．１０以上１．３２以下であり、上記最細位置と上記前腕末端位置との間の領域の平均厚みが０．２０ｍｍ以上０．８０ｍｍ以下である。
【００１０】
本発明者らは、手袋の裾部で作業中に手首方向へのずれ落ちが発生する起点の１つとして、親指を曲げた際に手の甲側の手首付近に発生する引っ張り皺や折れ皺が挙げられることを知得している。当該手袋は、指先端方向からの平面視で、第２指部及び第５指部の基端の中心間を結ぶ直線と、第１指部及び第２指部の基端の中心間を結ぶ直線とのなす角度が上記上限以下であるので、特に第１指部を曲げた際に、手の甲側の手首付近に引っ張り皺等が生じ難く、裾部のずれ落ちを抑止できる。
【００１１】
また、本発明者らは、裾部のずれ落ちは手袋の裾部内面と着用者の袖口との静止摩擦力が不足する場合に生じ易くなることを知得している。当該手袋は、最細位置での周囲長ａと前腕末端位置での周囲長ｂとの比ｂ／ａを上記上限以下とするので、手袋の裾部内面と着用者の袖口との間の静止摩擦力を確保し易く、裾部のずれ落ちを抑止できる。
【００１２】
さらに、本発明者らは、上記裾部が屈曲し易い場合に裾部のずれ落ちが生じ易くなることを知得している。当該手袋は、最細位置と前腕末端位置との間の領域の平均厚みを上記下限以上とするので、適度な剛軟度を有する。また、上記比ｂ／ａを上記上限以下とするので、当該手袋は、手首側を下方に向けた作業時であっても、裾部に加わる重力や裾部に入れた衣服のずれ等からのずれ落ちの起点となる裾部への皺や屈曲が発生し難い。この適度な剛軟度と上記比ｂ／ａの範囲とにより、当該手袋は、裾部のずれ落ちの発生に寄与し易い屈曲が生じ難く、裾部のずれ落ちを抑止できる。
【００１３】
また、当該手袋は、指先端方向からの平面視で、第２指部及び第５指部の基端の中心間を結ぶ直線と、第１指部及び第２指部の基端の中心間を結ぶ直線とのなす角度を上記下限以上とし、最細位置での周囲長ａと前腕末端位置での周囲長ｂとの比ｂ／ａを上記下限以上とし、最細位置と前腕末端位置との間の領域の平均厚みを上記上限以下とするので、着脱の容易性の低下を抑止できる。
【００１４】
上記裾部の剛軟度としては、２０ｍｍ以上が好ましい。このように上記剛軟度を上記下限以上とすることで、裾部のずれ落ちの発生に寄与し易い屈曲をさらに生じ難くすることができるので、裾部のずれ落ちの抑止効果を向上できる。
【００１５】
上記最細位置及び上記前腕末端位置の上記軸方向の距離をそれぞれＬ１［ｍｍ］及びＬ２［ｍｍ］とするとき、上記軸方向の距離がｘ［ｍｍ］である位置での周囲長ｙ［ｍｍ］が、Ｌ１＜ｘ＜Ｌ２の範囲において、下記式（１）を満たすとよい。このように下記式（１）を満たすことで、手袋の裾部内面と着用者の袖口との静止摩擦力を確保し易くできるので、裾部のずれ落ちの抑止効果を向上できる。また、手首側を下方に向けた作業時であっても、裾部に加わる重力や裾部に入れた衣服のずれ等からのずれ落ちの起点となる裾部への皺や屈曲が発生し難くできるので、裾部のずれ落ちを抑止できる。
ｙ≦ａ＋（ｂ−ａ）×（ｘ−Ｌ１）／（Ｌ２−Ｌ１）＋４  ・・・（１）
【００１６】
Ｌ１＜ｘ＜Ｌ２の範囲において、上記周囲長ｙが上記軸方向の距離ｘの増加とともに漸進的に増加するとよい。着用時に当該手袋の最細位置から前腕末端位置までの領域が接する着用者の手首部分から腕部分までの領域は、くびれた形状である。上記式（１）に従い、かつ上記周囲長ｙが上記軸方向の距離ｘの増加とともに漸進的に増加させることで、当該手袋の最細位置から前腕末端位置までの領域を、着用者の手首部分から腕部分までの領域に沿い易くすることができる。このため、手袋の裾部内面と着用者の袖口との間の静止摩擦力をさらに確保し易くできるので、裾部のずれ落ちの抑止効果を向上できる。
【００１７】
上記周囲長ｙが、上記裾部の開口部において、下記式（２）を満たすとよい。ｘ≧Ｌ２の領域における手袋の裾部内面と着用者の袖口との静止摩擦力は、裾部のずれ落ちの抑止に寄与し難い。従って、上記裾部の開口部において、上記周囲長ｙが下記式（２）を満たす、すなわち開口部を広くとることで、裾部のずれ落ちを抑止しつつ、当該手袋の着脱性を向上できる。
ｙ＞ａ＋（ｂ−ａ）×（ｘ−Ｌ１）／（Ｌ２−Ｌ１）  ・・・（２）
【００１８】
上記最細位置での周囲長ａと、上記間隔Ｄとの比ａ／Ｄとしては、１．５０以上１．８５以下が好ましい。このように上記ａ／Ｄを上記範囲内とすることで、当該手袋の着脱性を維持しつつ、裾部のずれ落ちの抑止効果を向上できる。
【００１９】
ここで、「主成分」とは、最も含有量の多い成分であり、例えば含有量が５０質量％以上の成分をいう。なお、例えば樹脂に対しその特性を調整するため可塑剤等を含ませる場合があるが、このような場合、樹脂の含有量にはその特性を調整するための可塑剤等を含めるものとする。また、「平均厚み」は、ＪＩＳ−Ｋ６２５０：２００６準拠の定圧厚さ測定器（例えば株式会社テクロックの「ＰＧ−２０」、測定子径５ｍｍ、測定力４４ｇｆ）を用いて、手袋における該当部位の任意の１０箇所を測定して得た値の平均値を指し、手袋が滑剤や植毛等を含む場合、それらを含めた厚みをいう。「剛軟度」は、ＪＩＳ−Ｌ１０９６：２０１０の４５°カンチレバー法により求められる値を指す。
【００２０】
「指部の基端」とは、該当する指部と隣り合う指部との指股を通り、該当する指部の軸と垂直に交わる仮想平面のうち手袋と交差する部分を指す。なお、第２指部乃至第４指部では、隣り合う指部が２指存在し、従って２つの指股が存在するが、この場合においては該当する指部の先端に近い方の指股を指すものとする。
【００２１】
また、「第３指部先端からの裾部側への第３指部の軸方向の距離がｘである位置における周囲長」とは、第３指部先端を通る軸線上で第３指部先端から裾部側への距離がｘである点を通る仮想平面のうち手袋との交線により形成される閉曲線の長さを最小とする仮想平面での上記閉曲線の長さを指す。
【発明の効果】
【００２２】
以上説明したように、本発明の手袋は、着脱の容易性を維持しつつ、作業中に裾部が手首方向にずれ落ちることを抑止できる。
【図面の簡単な説明】
【００２３】
【図１】本発明の一実施形態に係る手袋を掌側から見た模式的平面図である。
【図２】図１の手袋を指先端方向から見た模式的上面図である。
【発明を実施するための形態】
【００２４】
以下、本発明の一実施形態に係る手袋について詳説する。
【００２５】
＜手袋＞
図１及び図２に示す手袋１は、着用者の掌及び手の甲を覆うよう袋状に形成された本体部１０と、着用者の第１指（親指）乃至第５指（小指）をそれぞれ覆うよう本体部１０から延設された有底筒状の第１指部１１乃至第５指部１５と、第１指部１１乃至第５指部１５とは反対方向に延設された筒状の裾部１６とを有する。
【００２６】
当該手袋１は、ゴム又は樹脂を主成分とする。上記ゴムとしては、天然ゴム、ニトリルブタジエンゴム、クロロプレンゴム、イソプレンゴム、フッ素ゴム、シリコーンゴムやこれらの変性物等を挙げることができる。また、上記樹脂としては、塩化ビニル樹脂、ポリウレタン、アクリル樹脂やこれらの変性物等を挙げることができる。上記ゴム又は上記樹脂は一種を用いてもよいし、二種以上を用いてもよい。
【００２７】
当該手袋１は、上記主成分に加えて公知の加硫剤、加硫促進剤、金属酸化物、可塑剤、安定剤、顔料、酸化防止剤、抗菌剤等の添加剤を含んでいてもよい。このような添加剤により、当該手袋１の強度や柔軟性、抗菌性を向上できるほか、滑り止め性能が向上し、当該手袋１をグリップ力に優れたものとできる。
【００２８】
当該手袋１は、内面に滑剤を配してもよい。このように滑剤を配することで、当該手袋１の内面のタックを防止し、着脱性を向上できる。なお、滑剤を配する方法としては、公知の方法を用いることができる。
【００２９】
上記滑剤としては、コーンスターチのような紛体のほか、シリコーンなどの滑り付与剤、アクリル樹脂やポリウレタンなどのうち硬度の高い樹脂薄膜等が挙げられる。なお、上記滑剤には、手荒れ防止として抗菌剤や保湿剤等が含まれていてもよい。
【００３０】
また、当該手袋１は、内面に植毛を施してもよい。このように植毛を施すことで、着脱性の向上や当該手袋１内部の蒸れの低減を図ることができる。なお、植毛を施す方法としては、公知の方法を用いることができる。
【００３１】
上記植毛に用いる繊維としては、繊度０．１デシテックス以上２．０デシテックス以下、長さ０．１ｍｍ以上２．０ｍｍ以下の短繊維が好ましい。なお、上記繊維としては、公知の繊維、例えば綿、羊毛、絹などの天然繊維、レーヨン、キュプラ、アセテートなどの化学繊維、ポリエチレン、ポリプロピレン、ポリエステル、ナイロンなどの合成繊維等が挙げられる。また、上記繊維は、公知の接着剤、例えばアクリル樹脂やポリウレタン、天然ゴム等を用いて手袋１の内面に固定されていることが好ましい。
【００３２】
また、手袋１の内面に滑性処理が施されていてもよい。このような滑性処理としては、公知の滑性処理、例えば塩素化処理を挙げることができる。
【００３３】
指先端方向からの平面視で、第２指部１２の基端１２ｂ及び第５指部１５の基端１５ｂの中心間を結ぶ直線と、第１指部１１の基端１１ｂ及び第２指部１２の基端１２ｂの中心間を結ぶ直線とのなす角度（図２のθ）の下限としては、６０度であり、７０度がより好ましい。一方、上記角度θの上限としては、１２０度であり、１１０度がより好ましい。上記角度θが上記下限未満であると、着用時に親指が掌側に寄り過ぎて窮屈になるおそれがあるほか、掌を開くことが困難になるおそれがある。つまり、当該手袋１の着脱性が悪化するとともに装着感が低下するおそれがある。逆に、上記角度θが上記上限を超えると、親指を掌側に曲げにくくなるおそれがあるほか、親指を掌側に曲げたとき手の甲側の手首付近に引っ張り皺や折れ皺が発生し易くなる。この皺により裾部１６が本体部１０側へ屈曲してずれ落ち易くなるおそれがある。
【００３４】
また、第３指部１３の基端及び第４指部１４の基端の中心は、指先端方向からの平面視で、第２指部１２の基端１２ｂ及び第５指部１５の基端１５ｂの中心間を結ぶ直線の近傍にあることが好ましい。このように第３指部１３の基端及び第４指部１４の基端の中心を上記直線の近傍に配設することで、当該手袋１の装着感が向上する。ここで、「直線の近傍」とは、直線からの距離が１０ｍｍ以内の位置を指す。
【００３５】
図１に示すように、第３指部１３の先端１３ａと第１指部１１の基端１１ｂとの第３指部１３の軸Ｍ３方向の間隔をＤとし、第３指部先端１３ａを基点とする裾部１６側への第３指部１３の軸Ｍ３方向の距離（以下、単に「軸Ｍ３方向の距離」ということがある）が１．３×Ｄ以上１．８×Ｄ以下の範囲を手首領域Ｒとする。この手首領域Ｒは、通常本体部１０から裾部１６にわたって存在する。
【００３６】
また、図１に示すように、この手首領域Ｒにおいて周囲長が最小となる位置を最細位置Ａとする。この最細位置Ａよりも第１指部１１乃至第５指部１５側が本体部１０であり、その反対側が裾部１６となる。また、手袋は通常この最細位置Ａに着用者の手首が位置するよう構成される。なお、手首領域Ｒにおいて周囲長が最小となる位置が幅を有している場合は、周囲長が最小となる位置のうち最も指部側の位置を最細位置Ａとする。
【００３７】
さらに、図１に示すように、第３指部先端１３ａから裾部１６側への第３指部１３の軸Ｍ３方向の距離Ｌ２が最細位置Ａの軸Ｍ３方向の距離Ｌ１に対して１．６倍となる位置を前腕末端位置Ｂとする。当該手袋１では、この前腕末端位置Ｂは、裾部１６に位置する。つまり、当該手袋１の上記軸Ｍ３方向の長さは、上記距離Ｌ２より大きい。また、本発明者らは、最細位置Ａと前腕末端位置Ｂとの間の領域（前腕領域Ｓ）が、腕部よりも手首側が下方となるような姿勢での作業で裾部１６の自重の影響を受け易い部分であり、手首の曲げ伸ばしで引っ張り皺や折れ皺が生じ易い部分であり、さらに手を握ったり開いたりした際の前腕筋肉の伸縮により裾部１６がずれることで皺が発生し易い部分であることを知得している。
【００３８】
当該手袋１の前腕領域Ｓの平均厚みの下限としては、０．２０ｍｍであり、０．２５ｍｍがより好ましい。一方、前腕領域Ｓの平均厚みの上限としては、０．８０ｍｍであり、０．５５ｍｍがより好ましい。前腕領域Ｓの平均厚みが上記下限未満であると、前腕領域Ｓが軟らかくなり過ぎて屈曲し易くなり、裾部１６のずれ落ちが生じ易くなるおそれがある。逆に、前腕領域Ｓの平均厚みが上記上限を超えると、当該手袋１の柔軟性が不足し、当該手袋１を着脱し難くなるおそれがあるとともに着用した際の作業性が低下するおそれがある。
【００３９】
なお、前腕領域Ｓ以外、例えば第１指部１１乃至第５指部１５や、本体部１０の掌部分等の平均厚みは、特に限定されないが、前腕領域Ｓの平均厚みと同等又はそれ以上とすることが好ましい。例えば当該手袋１の機能として指部の耐久性が要求される場合は、第１指部１１乃至第５指部１５の厚みを前腕領域Ｓよりも厚くすることができる。
【００４０】
最細位置Ａでの周囲長ａと前腕末端位置Ｂでの周囲長ｂとの比ｂ／ａの下限としては、１．１０であり、１．１２がより好ましく、１．１４がさらに好ましい。一方、上記比ｂ／ａの上限としては、１．３２であり、１．３０がより好ましく、１．２８がさらに好ましい。上記比ｂ／ａが上記下限未満となるのは、最細位置Ａでの周囲長ａが大き過ぎる場合、又は前腕末端位置Ｂでの周囲長ｂが小さ過ぎる場合である。最細位置Ａでの周囲長ａが大き過ぎる場合は、当該手袋１の裾部１６内面と着用者の袖口とが十分に接触しなくなるため、静止摩擦力が不足し、裾部１６のずれ落ちが生じ易くなるおそれがある。前腕末端位置Ｂでの周囲長ｂが小さ過ぎる場合は、当該手袋１の裾部１６が窮屈なものとなり、当該手袋１の着脱性が低下するおそれや、着用者の前腕部が締め付けられるため長時間の作業が困難となるおそれがある。逆に、上記比ｂ／ａが上記上限を超えるのは、最細位置Ａでの周囲長ａが小さ過ぎる場合、又は前腕末端位置Ｂでの周囲長ｂが大き過ぎる場合である。最細位置Ａでの周囲長ａが小さ過ぎる場合、着用者の手が最細位置Ａを通過し難くなるため、当該手袋１の着脱性が低下するおそれがある。前腕末端位置Ｂでの周囲長ｂが大き過ぎる場合、当該手袋１の裾部１６の大きな広がりにより、裾部１６が屈曲し易くなり、裾部１６のずれ落ちが生じ易くなるおそれがある。また、いずれの場合でも、手首側を下方に向けた作業時に、裾部１６に加わる重力や裾部１６に入れた衣服のずれ等からのずれ落ちの起点となる裾部１６への皺や屈曲が発生し易くなり、裾部１６のずれ落ちが生じ易くなるおそれがある。
【００４１】
最細位置Ａでの周囲長ａと、第３指部１３の先端１３ａと第１指部１１の基端１１ｂとの間隔Ｄとの比ａ／Ｄの下限としては、１．５０が好ましく、１．５５がより好ましく、１．６０がさらに好ましい。一方、上記比ａ／Ｄの上限としては、１．８５が好ましく、１．８０がより好ましく、１．７５がさらに好ましい。上記間隔Ｄは、手袋１の大きさ、つまり着用者の手の大きさに相当する。上記比ａ／Ｄが上記下限未満であると、着用者の手の大きさに比し、最細位置Ａでの周囲長ａが小さ過ぎる。従って、着用者の手が最細位置Ａを通過し難くなるため、当該手袋１の着脱性が低下するおそれがある。逆に、上記比ａ／Ｄが上記上限を超えると、着用者の手の大きさに比し、最細位置Ａでの周囲長ａが大き過ぎる。従って、当該手袋１の裾部１６の内面と着用者の袖口とが十分に接触しなくなるため、静止摩擦力が不足し、裾部１６のずれ落ちが生じ易くなるおそれがある。
【００４２】
最細位置Ａ及び前腕末端位置Ｂの上記軸Ｍ３方向の距離をそれぞれＬ１［ｍｍ］及びＬ２［ｍｍ］とするとき、上記軸Ｍ３方向の距離がｘ［ｍｍ］である位置での周囲長ｙ［ｍｍ］が、Ｌ１＜ｘ＜Ｌ２の範囲（前腕領域Ｓ）において、下記式（１）を満たすことが好ましい。このように下記式（１）を満たすことで、当該手袋１の裾部１６の内面と着用者の袖口との静止摩擦力を確保し易くできるので、裾部１６のずれ落ちをより確実に抑止できる。なお、上記周囲長ｙ［ｍｍ］は、前腕領域Ｓにおいて下記式（３）を満たすことがより好ましく、下記式（４）を満たすことがさらに好ましく、下記式（５）を満たすことが特に好ましい。
ｙ≦ａ＋（ｂ−ａ）×（ｘ−Ｌ１）／（Ｌ２−Ｌ１）＋４  ・・・（１）
ｙ≦ａ＋（ｂ−ａ）×（ｘ−Ｌ１）／（Ｌ２−Ｌ１）＋３  ・・・（３）
ｙ≦ａ＋（ｂ−ａ）×（ｘ−Ｌ１）／（Ｌ２−Ｌ１）＋２  ・・・（４）
ｙ≦ａ＋（ｂ−ａ）×（ｘ−Ｌ１）／（Ｌ２−Ｌ１）      ・・・（５）
【００４３】
また、上記周囲長ｙ［ｍｍ］は、前腕領域Ｓにおいて、下記式（６）を満たすことが好ましい。このように下記式（６）を満たすことで、当該手袋１の着脱性及び作業性を確保し易い。なお、上記周囲長ｙ［ｍｍ］は、前腕領域Ｓにおいて下記式（７）を満たすことがより好ましい。
ｙ≧ａ＋（ｂ−ａ）×（ｘ−Ｌ１）／（Ｌ２−Ｌ１）−１０・・・（６）
ｙ≧ａ＋（ｂ−ａ）×（ｘ−Ｌ１）／（Ｌ２−Ｌ１）−６  ・・・（７）
【００４４】
また、Ｌ１＜ｘ＜Ｌ２の範囲において、上記周囲長ｙが上記軸Ｍ３方向の距離ｘの増加とともに漸進的に増加することが好ましい。ここで、人の前腕は、通常前腕中央付近から肘にかけて筋肉が大きく盛り上がった形状である。つまり、着用時に当該手袋１の最細位置Ａから前腕末端位置Ｂまでの領域が接する着用者の手首部分から腕部分までの領域は、くびれた形状である。従って、上記式（１）に従い、かつ上記周囲長ｙを上記軸Ｍ３方向の距離ｘの増加とともに漸進的に増加させることで、当該手袋１の最細位置Ａから前腕末端位置Ｂまでの領域が、着用者の手首部分から腕部分までの領域に沿い易くすることができる。このため、当該手袋１の裾部１６内面と着用者の袖口との間の静止摩擦力をさらに確保し易くできるので、裾部１６のずれ落ちの抑止効果を向上できる。
【００４５】
ここで、上記式（１）の右辺から定数項を除いた下記式（８）のＦは、前腕領域Ｓにおいて、周囲長が線形に増加する場合を意味する。この場合、図１の前腕領域Ｓに破線Ｆとして示すように前腕領域Ｓでは裾部１６は、側面視で直線状に広がっていく。これに対し、当該手袋１では、前腕領域Ｓにおいて裾部１６が内面へ膨らんだ形状となることが好ましい。つまり、上記周囲長ｙと下記式（８）で示されるＦとの差（Ｆ−ｙ）は、Ｌ１＜ｘ＜Ｌ２の範囲で最大値を１値有する「上に凸の関数」となることが好ましい。本発明者らは、ずれ落ちは（Ｆ−ｙ）が下に凸の場合で前腕領域Ｓの距離ｘの増加方向（指先端から裾部方向）への周囲長の広がり方が大きいほど発生し易く、中でも広がりが特異的に大きくなる部分が存在すると、重力によるずれ落ちに十分に抗することができず、裾部１６に屈曲が発生し易くなることを知得している。これに対し、上述のように前腕領域Ｓを上記差（Ｆ−ｙ）が「上に凸の関数」となるような形状とすることで、特異的に大きくなる部分を排除でき、裾部１６のずれ落ちの抑止効果を向上できる。また、特に上着が半袖のときや腕まくりをしているときなど、素手で当該手袋１を着用することを想定した場合、前腕部へのフィット感を向上させる効果が高められる。
Ｆ＝ａ＋（ｂ−ａ）×（ｘ−Ｌ１）／（Ｌ２−Ｌ１）      ・・・（８）
【００４６】
裾部１６の剛軟度の下限としては、２０ｍｍが好ましく、２５ｍｍがより好ましい。一方、上記剛軟度の上限としては、６５ｍｍが好ましく、５５ｍｍがより好ましく、５０ｍｍがさらに好ましい。上記剛軟度が上記下限未満であると、着用者の手首の動きへの当該手袋１の追従や、当該手袋１の手首側を下方に向けた作業時の裾部１６に加わる重力、裾部１６に入れた衣服のずれ等から裾部１６に皺や屈曲が発生し易くなり、裾部１６のずれ落ちが生じ易くなるおそれがある。逆に、上記剛軟度が上記上限を超えると、作業性が低下したり、作業時に着用者の疲労の蓄積度合が増加したりするおそれがある。
【００４７】
ここで、剛軟度はＪＩＳ−Ｌ１０９６：２０１０記載の４５°カンチレバー法により測定することができる。この方法による測定は、次のように行われる。（１）最細位置Ａから裾部１６の末端方向（裾部１６の開口部１６ｃの方向）に幅２０ｍｍ×長さ１５０ｍｍの試験片を用意し、一端側に４５°の斜面を持つ滑らかな水平台の上に、手袋内面に相当する面が上記水平台に接するようにしつつ、上記試験片の短辺をスケール基線に合せて置く。（２）上記試験片の表面を２０ｍｍ×１５０ｍｍ、つまり上記試験片と同じ大きさの非粘着性の板で押えつつ、約２ｍｍ／秒の速度で上記試験片を斜面方向に滑らせ、上記試験片の一端の中央点が斜面と接した時のスケール（移動距離）（ｍｍ）を読み取る。（３）上記試験片を、５つの手袋から各１枚ずつ合計５枚用意し、それぞれについて移動距離を測定し、その結果を算術平均した値を剛軟度とする。なお、手袋から長さ１５０ｍｍの試験片を切り出すことが困難である場合は、幅２０ｍｍで可能な限り大きい試験片を切り出して用いても、同等の結果を得ることができる。
【００４８】
裾部１６の曲げ剛性の下限としては、０．０２ｇｆ・ｃｍ２／ｃｍが好ましく、０．０３ｇｆ・ｃｍ２／ｃｍがより好ましい。一方、上記曲げ剛性の上限としては、０．３８ｇｆ・ｃｍ２／ｃｍが好ましく、０．３４ｇｆ・ｃｍ２／ｃｍがより好ましい。上記曲げ剛性は、低いほど手の動きに対して負荷が小さくなり精密作業を行い易くなるものの、上記曲げ剛性が上記下限未満であると、裾部１６に皺や屈曲が発生し易くなり、裾部１６のずれ落ちが生じ易くなるおそれがある。逆に、上記曲げ剛性が上記上限を超えると、作業性が低下したり、作業時に着用者の疲労の蓄積度合が増加したりするおそれがある。
【００４９】
ここで、曲げ剛性は純曲げ試験により算出できる。具体的には、曲げ剛性は、公知の純曲げ試験機（例えばカトーテック社製ＫＥＳ−ＦＢ２）により測定することができ、最大曲率：Ｋ＝＋／−２．５ｃｍ−１のとき、曲率０．５及び１．５と、−０．５及び−１．５との値から計算される。試験片としては、裾部１６の皺のない部分から５ｃｍ×５ｃｍで切り出したものを用いる。上記軸Ｍ３方向に受ける屈曲の曲げ剛性を測定するために、上記試験片を手袋の周囲長方向が取付治具に挟まれるようにセットし、純曲げ試験を行う。試験片は５つの手袋から各１枚ずつ合計５枚用意し、それぞれの測定結果を算術平均して曲げ剛性とする。
【００５０】
なお、第１指部１１乃至第５指部１５の剛軟度及び曲げ剛性は、特に限定されない。なお、剛軟度及び曲げ剛性は、裾部１６や第１指部１１乃至第５指部１５の厚みにほぼ比例する。従って、第１指部１１乃至第５指部１５の剛軟度及び曲げ剛性は、裾部１６の剛軟度及び曲げ剛性から推定できる。この厚みから推定される第１指部１１乃至第５指部１５の剛軟度及び曲げ剛性は、裾部１６の剛軟度及び曲げ剛性と同等又はそれ以上とするとよい。また、本体部１０の剛軟度及び曲げ剛性についても、特に限定されないが、第１指部１１乃至第５指部１５と同様に裾部１６の剛軟度及び曲げ剛性と同等又はそれ以上とするとよい。
【００５１】
上記周囲長ｙが、裾部１６の開口部１６ｃにおいて、下記式（２）を満たすとよい。つまり、開口部１６ｃは、上記式（８）で示す線形で周囲長が増加する場合の周囲長よりも周囲長が大きくなるように形成される。ｘ≧Ｌ２の領域における手袋１の裾部１６の内面と着用者の袖口との静止摩擦力は、裾部１６のずれ落ちの抑止に寄与し難い。従って、裾部１６の開口部１６ｃにおいて、上記周囲長ｙが下記式（２）を満たす、すなわち開口部１６ｃを広くとることで、裾部１６のずれ落ちを抑止しつつ、当該手袋１の着脱性を向上できる。
ｙ＞ａ＋（ｂ−ａ）×（ｘ−Ｌ１）／（Ｌ２−Ｌ１）  ・・・（２）
【００５２】
当該手袋１は、裾部１６のずれ落ちを抑止できるので、手袋の全長を長くすることができる。手袋の全長を長くすることで、当該手袋１内部への水の侵入防止効果を高められる。一般的な手袋が全長３０ｃｍ以上３２ｃｍ以下であるところ、当該手袋１の全長は、３３ｃｍ以上とすることができる。当該手袋１の全長の上限としては、特に限定されないが、肘の位置を超える長さになると作業性が低下するおそれがあるため、例えば４５ｃｍとできる。
【００５３】
＜手袋の製造方法＞
次に、当該手袋１の製造方法について概説するが、当該手袋１の製造方法はこれに限定されるものではない。
【００５４】
［第１製造方法］
当該手袋１は、浸漬工程と、加熱処理工程とを備える手袋の製造方法により製造することができる。
【００５５】
（浸漬工程）
浸漬工程では、陶器又は金属製の手型を樹脂原料に浸漬し、引き上げる。上記樹脂原料としては、当該手袋１の主成分である樹脂が配合された原料が用いられる。
【００５６】
（加熱処理工程）
加熱処理工程では、上記浸漬工程で手型の表面に形成された樹脂被膜を固化させる。具体的には、樹脂原料への浸漬により形成された樹脂被膜を加熱し流動性がなくなる程度に固化させた後、必要な物性が確保されるまで加熱して手袋本体を形成する。その後、樹脂被膜により形成された手袋本体を表裏反転させながら手型から外し、当該手袋１を得る。なお、手袋本体は表裏反転させながら手型から外されるので、製造中の手袋本体の表面は、当該手袋１の内面となる。
【００５７】
［第２製造方法］
あるいは、当該手袋１は、第１浸漬工程と、第２浸漬工程と、加熱処理工程とを備える手袋の製造方法により製造することもできる。
【００５８】
（第１浸漬工程）
第１浸漬工程では、陶器又は金属製の手型を凝固剤へ浸漬する。具体的には、第１浸漬工程では、上記手型を凝固剤溶液へ浸漬し、引き上げた後、凝固剤溶液の溶媒を蒸発させる。
【００５９】
上記凝固剤溶液としては、公知のもの、例えば硝酸カルシウム、塩化バリウム、塩化カルシウムなどの多価金属塩や、酢酸、クエン酸などの有機酸を含むメタノール溶液や水溶液等を用いることができる。中でも多価金属塩を含むことが好ましい。上記凝固剤溶液に多価金属塩を含ませることで、ラテックス原料の手型への付着量や付着厚みを制御し易くできる。
【００６０】
（第２浸漬工程）
第２浸漬工程では、ラテックス原料中に上記手型を浸漬する。具体的には、第２浸漬工程では、上記第１浸漬工程後の手型をラテックス原料へ浸漬し、引き上げる。
【００６１】
上記ラテックス原料としては、当該手袋１の主成分であるゴム又は樹脂が配合された原料が用いられる。
【００６２】
（加熱処理工程）
加熱処理工程では、上記第２浸漬工程により手型の表面に形成されたラテックス被膜を乾燥させる。具体的には、ラテックス原料への浸漬により形成されたラテックス被膜の水分を蒸発させた後、架橋反応を促進させ必要な物性を確保させた手袋本体を形成する。その後、ラテックス被膜により形成された手袋本体を表裏反転させながら手型から外し、当該手袋１を得る。
【００６３】
また、第１製造方法及び第２製造方法のいずれも加熱処理行程中に、表面の流動性がなくなった被膜に、滑剤としてアクリル樹脂やポリウレタンなどの硬度の高い薄膜を積層したり、接着剤を塗布した後にパイルの植毛を行ったり、パイルを混ぜた接着剤を塗布したりした後、乾燥させて当該手袋１の内面の着脱性を向上させてもよい。
【００６４】
あるいは、加熱処理工程後から手袋本体を手型から外すまでの間に、滑性処理として塩素化処理を行ったり、滑剤としてコーンスターチ等を手袋表面に塗布したりすることで当該手袋１の内面の着脱性を向上させてもよい。
【００６５】
＜利点＞
当該手袋１は、指先端方向からの平面視で、第２指部１２の基端１２ｂ及び第５指部１５の基端１５ｂの中心間を結ぶ直線と、第１指部１１の基端１１ｂ及び第２指部１２の基端１２ｂの中心間を結ぶ直線とのなす角度が１２０度以下であるので、特に第１指部１１を曲げた際に手の甲側の手首付近に引っ張り皺や折れ皺が生じ難く、裾部１６のずれ落ちを抑止できる。
【００６６】
また、当該手袋１は、最細位置Ａでの周囲長ａと前腕末端位置Ｂでの周囲長ｂとの比ｂ／ａを１．３２以下とするので、手袋１の裾部１６の内面と着用者の袖口との間の静止摩擦力を確保し易く、裾部１６のずれ落ちを抑止できる。
【００６７】
さらに、当該手袋１は、最細位置Ａと前腕末端位置Ｂとの間の領域の平均厚みを０．２０ｍｍ以上とするので、適度な剛軟度を有する。また、上記比ｂ／ａを１．３２以下とするので、当該手袋１は、手首側を下方に向けた作業時であっても、裾部１６に加わる重力や裾部１６に入れた衣服のずれ等からのずれ落ちの起点となる裾部１６への皺や屈曲が発生し難い。この適度な剛軟度と上記比ｂ／ａの範囲とにより、当該手袋１は、裾部１６のずれ落ちの発生に寄与し易い屈曲が生じ難く、裾部１６のずれ落ちを抑止できる。
【００６８】
また、当該手袋１は、指先端方向からの平面視で、第２指部１２の基端１２ｂ及び第５指部１５の基端１５ｂの中心間を結ぶ直線と、第１指部１１の基端１１ｂ及び第２指部１２の基端１２ｂの中心間を結ぶ直線とのなす角度を６０度以上とし、最細位置Ａでの周囲長ａと前腕末端位置Ｂでの周囲長ｂとの比ｂ／ａを１．１０以上とし、最細位置Ａと前腕末端位置Ｂとの間の領域の平均厚みを０．８０ｍｍ以下とするので、着脱の容易性の低下を抑止できる。
【００６９】
［その他の実施形態］
本発明は上記実施形態に限定されるものではなく、上記態様の他、種々の変更、改良を施した態様で実施することができる。
【００７０】
例えば当該手袋は、裾部の開口部にさらに腕カバー等他の部材を設けた構成としてもよい。
【実施例】
【００７１】
以下、実施例及び比較例を挙げて本発明をさらに詳細に説明するが、当該発明は以下の実施例に限定されるものではない。
【００７２】
［実施例１］
塩化ビニル系ペースト樹脂（カネカ社製ＰＳＭ−３０）１００質量部に、可塑剤（ランクセス社製メザモール、但しメザモールは登録商標）１１０質量部、安定剤（ＡＤＥＫＡ社製ＳＣ−７２）３質量部、増粘剤（トクヤマ社製ＱＳ−１０２）０．３質量部を配合し、樹脂原料を準備した。
【００７３】
また、表面コートのない陶器の手型として、得られる手袋の全長（第３指部先端から開口部までの長さ）、開口部の周囲長、第３指部先端と第１指部基端との間隔Ｄ、最細位置の軸方向の距離Ｌ１、最細位置での周囲長ａ、及び前腕末端位置での周囲長ｂが表１の値となり、かつ軸方向の距離がｘである位置での周囲長ｙが下記式（９）を満たすように調整された手型を準備した。
ｙ≦ａ＋（ｂ−ａ）×（ｘ−Ｌ１）／（Ｌ２−Ｌ１）      ・・・（９）
【００７４】
上記樹脂原料を貯留した浴槽中に上記手型を浸漬し、引き上げた。なお、引き上げる際、裾部の被膜の厚みが表１の厚みとなるように上記浴槽中から上記手型を引き上げる速度を調整した。ここで、裾部の厚みとは、任意の１０か所を株式会社テクロックの「ＰＧ−２０」、測定子径５ｍｍ、測定力４４ｇｆを用いて、測定して得た値を算術平均したものである。
【００７５】
引き上げた手型を、２５０℃のオーブンで１分間、続いて１９０℃のオーブンで１０分間加熱し、被膜を形成した。その後、上記手型を冷却し、コーンスターチを上記被膜表面にまぶして反転させながら離型することで、実施例１の手袋を得た。
【００７６】
［実施例２、実施例３、比較例１、比較例２］
最細位置の太さを固定し裾部の太さを調整して、ｂ／ａが表１の値になるような手型を準備した以外は、実施例１と同様にして実施例２、実施例３、比較例１及び比較例２の手袋を得た。
【００７７】
［実施例４〜実施例６、比較例３］
裾部の被膜の厚みが表１の厚みとなるように上記浴槽中から上記手型を引き上げる速度を調整した以外は、実施例１と同様にして実施例４〜実施例８の手袋を得た。
【００７８】
［実施例７、実施例８］
実施例１において、裾部の被膜の厚みが表１の厚みとなるように上記浴槽中から上記手型を引き上げる速度を調整した。また、オーブンでの２５０℃の加熱と１９０℃の加熱との間に、上記手型をアクリル系接着剤浴に浸漬し引き上げ、形成された接着剤被膜の表面を軽く乾燥させた後に、繊度１．０デシテックスで長さ０．５ｍｍのレーヨンパイルを静電気植毛した。上述の点以外は、実施例１と同様にして実施例７及び実施例８の手袋を得た。
【００７９】
なお、参考までに手袋の裾部において樹脂被膜の厚みはそれぞれ、０．３８ｍｍ、０．４４ｍｍであり、接着剤被膜の厚みは０．０５ｍｍであった。ここで、それぞれの被膜の厚みは任意の１０点をマイクロスコープを用いて測定し、算術平均した値である。
【００８０】
［実施例９］
開口部より指先側に３０ｍｍの位置から開口部にかけて裾部の広がり方を大きくして、開口部の周囲長が２８０ｍｍになるようにした手型を準備した以外は、実施例１と同様にして実施例９の手袋を得た。
【００８１】
なお、開口部より指先側に３０ｍｍの位置は、前腕末端位置よりも開口部側である。
【００８２】
［実施例１０］
軸方向の距離がｘである位置での周囲長ｙが下記式（１０）を満たすように調整された手型を準備した以外は、実施例１と同様にして実施例１０の手袋を得た。なお、下記式（１０）で等号が成立する位置は、最細位置と前腕末端位置との間の中央付近とした。
ｙ≦ａ＋（ｂ−ａ）×（ｘ−Ｌ１）／（Ｌ２−Ｌ１）＋６  ・・・（１０）
【００８３】
［評価］
実施例１〜１０及び比較例１〜３の手袋について、以下に示す全て又は一部の評価を行った。結果を表１に示す。
【００８４】
＜剛軟度＞
ＪＩＳ−Ｌ１０９６：２０１０の４５°カンチレバー法により求めた。なお、試験片は、１つの手袋の甲側から、最細位置を起点として開口部方向に幅２０ｍｍ長さ１５０ｍｍの大きさで１つ切り出した。測定は、測定器の水平台に手袋サンプル内部が接するように置いて実施した。剛軟度の値は５つの手袋から合計５つの試験片を切り出して測定した値の算術平均とした。
【００８５】
＜曲げ剛性＞
試験片を、１つの手袋の甲側の裾部から、５ｃｍ×５ｃｍの大きさで１つ切り出した。測定は、カトーテック社製純曲げ試験機ＫＥＳ−ＦＢ２を用いて、上記試験片を、手袋の周囲方向が試験機の試験治具に挟まれるようにセットして行い、曲率＋２．５ｃｍ−１及び−２．５ｃｍ−１の範囲で５往復させたときの、曲率０．５ｃｍ−１及び１．５ｃｍ−１と、−０．５ｃｍ−１及び−１．５ｃｍ−１との値から算出した。曲げ剛性の値は５つの手袋から１つずつ、合計５つの試験片を切り出して測定した値の算術平均とした。
【００８６】
＜着脱性＞
１０人のパネラーに、手袋を着脱してもらい、着脱し易いと感じるか否かヒヤリングして、下記基準で評価した。
Ａ：着脱し易いと答えた人数が、９人以上である。
Ｂ：着脱し易いと答えた人数が、７〜８人である。
Ｃ：着脱し易いと答えた人数が、５〜６人である。
Ｄ：着脱し易いと答えた人数が、４人以下である。
【００８７】
＜裾部のずれ落ち＞
１０人のパネラーに、お皿２０枚を洗って乾燥用のカゴに移すという食器洗い作業を行ってもらい、ずれ落ちの発生を下記基準で評価した。なお、上着の長袖部は手袋の裾部の中に入れた。また、ずれ落ちは、手袋の開口部が手首方向へ３ｃｍ以上ずれた場合に発生したと判定した。
Ａ：ずれ落ちの発生した人数が、０人である。
Ｂ：ずれ落ちの発生した人数が、１人である。
Ｃ：ずれ落ちの発生した人数が、２人である。
Ｄ：ずれ落ちの発生した人数が、３人以上である。
【００８８】
＜柔軟性＞
上記裾部のずれ落ちの食器洗い作業時に感じた手袋サンプルの柔軟性についてヒヤリングして、下記基準で評価した。
Ａ：柔らかいと答えた人数が、９人以上である。
Ｂ：柔らかいと答えた人数が、７〜８人である。
Ｃ：柔らかいと答えた人数が、５〜６人である。
Ｄ：柔らかいと答えた人数が、４人以下である。
【００８９】
【表１】
2019218672.tif 000003
【００９０】
なお、表１で、「−」は未測定であることを意味する。
【００９１】
表１の結果から、実施例１〜１０の手袋は、着脱性に優れ、かつ裾のずれ落ちが発生し難いことが分かる。
【００９２】
これに対し、比較例１の手袋は着脱性に劣り、比較例２及び比較例３の手袋は、裾部のずれ落ちが発生し易い。比較例１の手袋では、ｂ／ａの値が小さ過ぎるため着脱性に劣ったと考えられる。比較例２の手袋では、ｂ／ａの値が大き過ぎるため裾部のずれ落ちが発生し易いと考えられる。また、比較例３の手袋では、最細位置と上記前腕末端位置との間の領域の平均厚みが小さ過ぎたため裾部のずれ落ちが発生し易いと考えられる。
【００９３】
以上から、ｂ／ａを１．１０以上１．３２以下とし、最細位置と上記前腕末端位置との間の領域の平均厚みを０．２０ｍｍ以上０．８０ｍｍ以下とすることで、着脱の容易性を維持しつつ、作業中に裾部が手首方向にずれ落ちることを抑止できる手袋と言える。
【００９４】
さらに詳細に見ると、実施例１、実施例４〜実施例８から、剛軟度を２０ｍｍ以上とすることで、裾部のずれ落ちを抑止できることが分かる。さらに、実施例１及び実施例５〜実施例８と実施例４とを比較すると、剛軟度を２５ｍｍ以上とすることでその抑止効果を高められることが分かる。
【００９５】
また、実施例１と実施例９とを比較すると、開口部の周囲長を広げることで、着脱性が向上することが分かる。
【００９６】
さらに、実施例１と実施例１０とを比較すると、下記式（９）を満たす実施例１の方が下記式（１０）を満たす実施例１０よりも裾部のずれ落ちが発生し難い。このことから周囲長ｙを小さくすることで、裾部のずれ落ちの抑止効果が高められることが分かる。
ｙ≦ａ＋（ｂ−ａ）×（ｘ−Ｌ１）／（Ｌ２−Ｌ１）      ・・・（９）
ｙ≦ａ＋（ｂ−ａ）×（ｘ−Ｌ１）／（Ｌ２−Ｌ１）＋６  ・・・（１０）
【産業上の利用可能性】
【００９７】
以上のように、本発明の手袋は、着脱の容易性を維持しつつ、作業中に裾部が手首方向にずれ落ちることを抑止できる。
【符号の説明】
【００９８】
１  手袋
１０  本体部
１１  第１指部
１１ｂ  基端
１２  第２指部
１２ｂ  基端
１３  第３指部
１３ａ  先端
１４  第４指部
１５  第５指部
１５ｂ  基端
１６  裾部
１６ｃ  開口部
Ｍ３  軸
Ｒ  手首領域
Ｓ  前腕領域
Ａ  最細位置
Ｂ  前腕末端位置
Ｆ  破線
【図１】
2019218672.tif 000004
【図２】
2019218672.tif 000005